(57)【要約】【課題】  本発明は、環境に優しく簡潔構造で容易に加湿した高温風の送出を行う暖房装置を提供すること。【解決手段】  本発明の暖房装置１０は、予め貯留した貯留水を気化し蒸気Ｐを送出する加湿器１４と、加湿器１４より送出の蒸気Ｐに空気Ｅを送出し混合する電動ファン１３と、加湿器１４より送出の蒸気Ｐと電動ファン１３より送出の空気Ｅとが混合し送入した加湿空気を加熱し高温加湿空気Ｋを送出する加熱ダクト１１とを備えることとした。【選択図】図１
2017203616.tif 000002
【特許請求の範囲】
【請求項１】
予め貯留した貯留水を気化し蒸気を送出する加湿器と、前記加湿器より送出の前記蒸気に空気を送出し混合する電動ファンと、前記加湿器より送出の前記蒸気と前記電動ファンより送出の前記空気とが混合し送入した加湿空気を加熱し高温加湿空気を送出する加熱ダクトとを備えることを特徴とする暖房装置。
【請求項２】
前記加熱ダクトは、予め定めた傾斜角度に傾斜し、前記高温加湿空気を斜め方向に送出することを特徴とする請求項１に記載の暖房装置。
【請求項３】
前記加熱ダクトは、前記加湿空気を加熱する加熱器の電導線を密閉して端部側を外部に送出する密閉形送出器を設けることを特徴とする請求項１または請求項２に記載の暖房装置。
【請求項４】
前記密閉形送出器は、前記加熱ダクトの底面に固定する断面Ｔ形の固定部と、前記固定部の外側を覆う円筒形のキャップと、前記断面Ｔ形の固定部の外側の底部と前記円筒形のキャップの内側の底部との間に設けられ弾性材で形成された数珠形状のシール部とで構成され、前記断面Ｔ形の固定部と前記円筒形のキャップと前記数珠形状のシール部とのそれぞれの中心線に設けた貫通穴に前記加熱器の電導線が挿入されることを特徴とする請求項３に記載の暖房装置。
【発明の詳細な説明】
【技術分野】
【０００１】  本発明は、環境に優しく簡潔構造で容易に加湿した高温風の送出を行う暖房装置に関する。
【背景技術】
【０００２】  従来の暖房装置には、貯留水を加熱して水蒸気を発生させ発生させた水蒸気をさらに加熱し、加熱した水蒸気と外部より送入の空気を加熱した温風とを混合し加湿温風を送出するものがある（例えば特許文献１参照）。
【先行技術文献】
【特許文献】
【０００３】
【特許文献１】  特開２０１０−７８２４９号公報
【発明の概要】
【発明が解決しようとする課題】
【０００４】  しかしながら、従来の暖房装置は、二酸化炭素を発生することがなく環境に優しくすることはできるが、加湿温風を発生させ送出する機構が複雑構造となっているという問題があった。
本発明は、上記に鑑みてなされたものであって、環境に優しく簡潔構造で容易に加湿した高温風の送出を行う暖房装置を提供することを目的とする。
【課題を解決するための手段】
【０００５】  本発明の暖房装置は、予め貯留した貯留水を気化し蒸気を送出する加湿器と、前記加湿器より送出の前記蒸気に空気を送出し混合する電動ファンと、前記加湿器より送出の前記蒸気と前記電動ファンより送出の前記空気とが混合し送入した加湿空気を加熱し高温加湿空気を加湿温風を送出する加熱ダクトとを備えることとした。
また、前記加熱ダクトは、予め定めた傾斜角度に傾斜し、前記高温加湿空気を斜め方向に送出することとした。
また、前記加熱ダクトは、前記加湿空気を加熱する加熱器の電導線を密閉して端部側を外部に送出する密閉形送出器を設けることとした。
さらに、前記密閉形送出器は、前記加熱ダクトの底面に固定する断面Ｔ形の固定部と、前記固定部の外側を覆う円筒形のキャップと、前記断面Ｔ形の固定部の外側の底部と前記円筒形のキャップの内側の底部との間に設けられ弾性材で形成された数珠形状のシール部とで構成され、前記断面Ｔ形の固定部と前記円筒形のキャップと前記数珠形状のシール部とのそれぞれの中心線に設けた貫通穴に前記加熱器の電導線が挿入されることとした。
【発明の効果】
【０００６】  本発明の暖房装置は、予め貯留した貯留水を気化し蒸気を送出する加湿器と、前記加湿器より送出の前記蒸気に空気を送出し混合する電動ファンと、前記加湿器より送出の前記蒸気と前記電動ファンより送出の前記空気とが混合し送入した加湿空気を加熱し高温加湿空気を送出する加熱ダクトとを備えることとしたため、環境に優しく簡潔構造で容易に加湿した高温風の送出を行うことができる。
また、前記加熱ダクトは、予め定めた傾斜角度に傾斜し、前記高温加湿空気を斜め方向に送出することとしたため、加湿した高温風を効果的に送出することができる。
また、前記加熱ダクトは、前記加湿空気を加熱する加熱器の電導線を密閉して端部側を外部に送出する密閉形送出器を設けることとしたため、加熱ダクトから気体や液体が漏れることなく電導線より電力を送出することができる。
さらに、前記密閉形送出器は、前記加熱ダクトの底面に固定する断面Ｔ形の固定部と、前記固定部の外側を覆う円筒形のキャップと、前記断面Ｔ形の固定部の外側の底部と前記円筒形のキャップの内側の底部との間に設けられ弾性材で形成された数珠形状のシール部とで構成され、前記断面Ｔ形の固定部と前記円筒形のキャップと前記数珠形状のシール部とのそれぞれの中心線に設けた貫通穴に前記加熱器の電導線が挿入されることとしたため、より確実に加熱ダクトから気体や液体が漏れることなく電導線より電力を送出することができる。
【図面の簡単な説明】
【０００７】
【図１】  本発明の第１の実施形態の暖房装置の側面図を示す。
【図２】  本発明の第１の実施形態の暖房装置で使用する密閉形送出器の断面図を示す。
【図３】  本発明の第２の実施形態の暖房装置の断面図を示す。
【図４】  本発明の第３の実施形態の暖房装置の断面図を示す。
【図５】  本発明の暖房装置をベッドに使用する実施形態の断面図を示す。
【発明を実施するための形態】
【０００８】  以下、本発明の第１の実施形態の暖房装置につき説明する。
【実施例１】
【０００９】  図１は、本発明の第１の実施形態の暖房装置の側面図を示す。
図１に示すように、本発明の第１の実施形態の暖房装置１０は、加湿器１４と、外部より空気を送出する電動ファン１３と、加湿器１４より送出する蒸気と電動ファン１３より送出する空気とを混合した加湿空気を加熱し高温加湿空気を送出する加熱ダクト１１とで構成している。図１では加熱ダクト１１と、加熱ダクト１１と加湿器１４とを連結する連結管１７とは断面図を示す。【００１０】  加湿器には、常温の水を蒸発させ加湿を行なう気化式の加湿器や、遠心式や超音波式など水を霧状にして加湿を行なう水噴射式の加湿器や、貯留水を加熱し蒸気を発生させ加湿を行なう蒸気式の加湿器など様々のものがある。
本発明の第１の実施形態の暖房装置では、いずれの方式の加湿器をも使用することができるが、貯留水を加熱し蒸気を発生させる既存の簡潔構造の蒸気式の加湿器１４を使用する。そのため暖房装置１０を簡潔とすることもできる。
加湿器１４は、貯留水を加熱し蒸気を発生させ、発生した蒸気Ｐは連結管１７に送出する。連結管１７は、加湿器１４で発生し送出する蒸気Ｐと、電動ファン１３より送出管１３ａにより送出する空気Ｅとが送入する。なお、電動ファン１３より送出する空気Ｅは加熱ダクト１１に直接送入することもできる。
加湿器１４は、貯留槽１２より送出の水を貯留するが、水位センサ（図示せず）が予め定めた水位以下になったことを検知したとき制御弁（図示せず）が開き、貯留槽１２よりの水が送入される。加湿器１４では貯留の水が予め定めた水位になるまで送出が行われ、加湿器１４の水位は一定の高さに制御されている。【００１１】  加熱ダクト１１は、斜め垂直方向に設けられ、コイル形の加熱器１５が加熱ダクト１１の外筒１６の内側に設けられており、加湿器１４より送出する蒸気Ｐと電動ファン１３より送出する空気Ｅとが混合した加湿空気をコイル形の加熱器１５により加熱し、高温加湿空気として矢印Ｋに示すように送出口１６ａより送出する。【００１２】  加熱ダクト１１に設けられたコイル形の加熱器１５は、端部にそれぞれ電導線１８ａ、１８ｂが接続している。電導線１８ａ、１８ｂは端部側が密閉形送出器１１０ａ、１１０ｂを貫通して外部に送出し、電導線１８ａ、１８ｂに電力が与えられコイル形の加熱器１５により加熱が行われる。【００１３】  次に、本発明の第１の実施形態の暖房装置の動作につき説明する。
加湿器１４は、貯留槽１２より送出の水を貯留して加熱し蒸気を発生する。発生した蒸気Ｐは連結管１７に送出する。また、連結管１７は、電動ファン１３より送出する空気Ｅとも送入する。蒸気Ｐと空気Ｅとは混合し加湿空気となる。
加熱ダクト１１は、斜め垂直方向に設けられ、コイル形の加熱器１５が加熱ダクト１１の外筒１６の内側に設けられており、蒸気Ｐと空気Ｅとが混合した加湿空気をコイル形の加熱器１５により加熱し、高温加湿空気として矢印Ｋに示すように送出する。【００１４】  以上述べたように、本発明の第１の実施形態の暖房装置は、簡潔構造の既存の加湿器１４より容易に発生した蒸気Ｐと外部よりの空気Ｅとが混合し生成した加湿空気をコイル形の加熱器１５により効果的に加熱し、高温加湿空気を送出し、環境に優しく簡潔構造で容易に加湿した高温風の送出を容易に行うことができる。
さらに、加熱ダクト１１は、斜め垂直方向に設けているため、加湿した高温風を効果的に送出することができる。【００１５】  図２は、本発明の第１の実施形態の暖房装置で使用する密閉形送出器の断面図を示す。
図２に示すように、本発明の第１の実施形態の暖房装置で使用する密閉形送出器１１０ａは、図１に示す加熱ダクト１１の外筒１６の底面に形成された穴部にナット１１２ａにより固定される断面Ｔ形の固定部１１１ａと、固定部１１１ａの外側を覆いネジ部Ｎにより固定される円筒形のキャップ１１３ａと、断面Ｔ形の固定部３１ａの外側の底部と円筒形のキャップ１１３ａの内側の底部との間に設けられ弾性材で形成された数珠形状のシール部１１４ａとで構成され、断面Ｔ形の固定部１１１ａと円筒形のキャップ１１３ａと数珠形状のシール部１１４ａとのそれぞれの中心線に設けた貫通穴Ｓに図１に示すコイル形の加熱器１５に接続する電導線１８ａが挿入される。【００１６】  電導線１８ａは、貫通穴Ｓに挿入される部分には絶縁材のパイプ１９ａで覆われている。円筒形のキャップ１１３ａが固定部１１１ａにネジ止めされるときには数珠形状のシール部１１４ａは圧着され、円筒形のキャップ１１３ａと固定部１１１ａの貫通穴Ｓを塞ぐと共に、電導線１８ａを覆う絶縁材のパイプ１９ａに密着する。
従って、電導線１８ａは加熱ダクト１１の外筒１６から送出するが加熱ダクト１１の外筒１６の内部と外側とは上部を除き完全に遮断し、加熱ダクト１１の外筒１６の側面と底面から気体や液体が漏れることを防止することができる。
なお、本発明の第１の実施形態の暖房装置では密閉形送出器１１０ｂも使用するが、密閉形送出器１１０ａと同一構造とする。【００１７】  以下、本発明の第２の実施形態の暖房装置につき説明する。
【実施例２】
【００１８】  図３は、本発明の第２の実施形態の暖房装置の側面図を示す。
図３に示すように、本発明の第２の実施形態の暖房装置２０は、加湿器２４と、外部より空気を送出する電動ファン２３と、加湿器２４より送出する蒸気と電動ファン２３より送出する空気とを混合した加湿空気を加熱し高温加湿空気を送出する加熱ダクト２１とで構成している。図３では加熱ダクト２１と、加熱ダクト２１と加湿器２４とを連結する連結管２７とは断面図を示す。【００１９】  加湿器には、常温の水を蒸発させ加湿を行なう気化式の加湿器や、遠心式や超音波式など水を霧状にして加湿を行なう水噴射式の加湿器や、貯留水を加熱し蒸気を発生させ加湿を行なう蒸気式の加湿器など様々のものがある。
加湿器２４は、貯留水を加熱し蒸気を発生させ、発生した蒸気Ｐは連結管２７に送出する。電動ファン２３より送出する空気Ｅは送出管２３ａから加熱ダクト２１に直接送入する。
加湿器は、貯留槽２２より送出の水を貯留するが、水位センサ（図示せず）が予め定めた水位以下になったことを検知したとき制御弁（図示せず）が開き、貯留槽２２よりの水が送入される。加湿器２４では貯留の水が予め定めた水位になるまで送出が行われ、加湿器２４の水位は一定の高さに制御されている。【００２０】  加熱ダクト２１は、垂直方向に設けられ、コイル形の加熱器２５が加熱ダクト２１の外筒２６の内側に設けられており、加湿器２４より送出する蒸気Ｐと電動ファン２３より送出管２３ａにより送出する空気Ｅとが混合した加湿空気をコイル形の加熱器２５により加熱し、高温加湿空気として矢印Ｋに示すように送出口２６ａより送出する。【００２１】  加熱ダクト２１に設けられたコイル形の加熱器２５は、端部にそれぞれ電導線２８ａ、２８ｂが接続している。電導線２８ａ、２８ｂは端部側が密閉形送出器１２０ａ、１２０ｂを貫通して外部に送出し、コイル形の加熱器２５により加熱が行われる。密閉形送出器１２０ａ、１２０ｂは、本発明の第１の実施形態の暖房装置で使用する密閉形送出器１１０ａ、１１０ｂと同一構造とする。【００２２】  次に、本発明の第２の実施形態の暖房装置の動作につき説明する。
加湿器２４は、貯留槽２２より送出の水を貯留して加熱し蒸気を発生する。発生した蒸気Ｐは連結管２７より加熱ダクト２１に送出する。また、加熱ダクト２１は、電動ファン２３より送出する空気Ｅも送入する。蒸気Ｐと空気Ｅとは混合し加湿空気となる。
加熱ダクト２１は、垂直方向に設けられ、コイル形の加熱器２５が加熱ダクト２１の外筒２６の内側に設けられており、蒸気Ｐと空気Ｅとが混合した加湿空気をコイル形の加熱器２５により加熱し、高温加湿空気として矢印Ｋに示すように送出する。【００２３】  以上述べたように、本発明の第２の実施形態の暖房装置は、簡潔構造の既存の加湿器２４より発生した蒸気Ｐと外部よりの空気Ｅとが混合し生成した加湿空気をコイル形の加熱器２５により加熱し、高温加湿空気を送出し、環境に優しく簡潔構造で容易に加湿した高温風の送出を容易に行うことができる。【００２４】  以下、本発明の第３の実施形態の暖房装置につき説明する。
【実施例２】
【００２５】  図４は、本発明の第３の実施形態の暖房装置の側面図を示す。
図４に示すように、本発明の第３の実施形態の暖房装置３０は、加湿器３４と、外部より空気を送出する電動ファン３３と、加湿器３４より送出する蒸気と電動ファン３３より送出する空気とを混合した加湿空気を加熱し高温加湿空気を送出する加熱ダクト３１とで構成している。図４では加熱ダクト３１と、加熱ダクト３１と加湿器３４とを連結する連結管３７とは断面図を示す。【００２６】  加湿器には、常温の水を蒸発させ加湿を行なう気化式の加湿器や、遠心式や超音波式など水を霧状にして加湿を行なう水噴射式の加湿器や、貯留水を加熱し蒸気を発生させ加湿を行なう蒸気式の加湿器など様々のものがある。
加湿器３４は、貯留水を加熱し蒸気を発生させ、発生した蒸気Ｐは連結管３７に送出する。電動ファン３３より送出する空気Ｅは送出管３３ａから加熱ダクト３１に直接送入する。
加湿器は、貯留槽３２より送出の水を貯留するが、水位センサ（図示せず）が予め定めた水位以下になったことを検知したとき制御弁（図示せず）が開き、貯留槽３２よりの水が送入される。加湿器３４では貯留の水が予め定めた水位になるまで送出が行われ、加湿器３４の水位は一定の高さに制御されている。【００２７】  加熱ダクト３１は、水平方向に設けられ、コイル形の加熱器３５が加熱ダクト３１の外筒３６の内側に設けられており、加湿器３４より送出する蒸気Ｐと電動ファン３３より送出管３３ａにより送出する空気Ｅとが混合した加湿空気をコイル形の加熱器３５により加熱し、高温加湿空気として矢印Ｋに示すように送出口３６ａより送出する。【００２８】  加熱ダクト３１に設けられたコイル形の加熱器３５は、端部にそれぞれ電導線３８ａ、３８ｂが接続している。電導線３８ａ、３８ｂは端部側が密閉形送出器１３０ａ、１３０ｂを貫通して外部に送出し、コイル形の加熱器３５により加熱が行われる。密閉形送出器１３０ａ、１３０ｂは、本発明の第１の実施形態の暖房装置で使用する密閉形送出器１１０ａ、１１０ｂと同一構造とする。【００２９】  次に、本発明の第３の実施形態の暖房装置の動作につき説明する。
加湿器３４は、貯留槽３２より送出の水を貯留して加熱し蒸気を発生する。発生した蒸気Ｐは連結管３７より加熱ダクト３１に送出する。また、加熱ダクト３１は、電動ファン３３より送出する空気Ｅも送入する。蒸気Ｐと空気Ｅとは混合し加湿空気となる。
加熱ダクト３１は、水平方向に設けられ、コイル形の加熱器３５が加熱ダクト３１の外筒３６の内側に設けられており、蒸気Ｐと空気Ｅとが混合した加湿空気をコイル形の加熱器３５により加熱し、高温加湿空気として矢印Ｋに示すように送出する。【００３０】  以上述べたように、本発明の第３の実施形態の暖房装置は、簡潔構造の既存の加湿器３４より発生した蒸気Ｐと外部よりの空気Ｅとが混合し生成した加湿空気をコイル形の加熱器３５により加熱し、高温加湿空気を送出し、環境に優しく簡潔構造で容易に加湿した高温風の送出を容易に行うことができる。【００３１】  図５は、本発明の暖房装置をベッドに使用する実施形態の断面図を示す。
図５に示すように、本発明の暖房装置を使用する暖房式ベッド５０は、ベッド４０に本発明の暖房装置３０が設けられている。【００３２】  ベッド４０は、両側の側面４３ａ、４３ｂと、前面４２ａと、後面４２ｂと、上面４１とで箱型に形成されている。箱型のベッド４０の内部には本発明の暖房装置３０が設けられている。
上面４１には上側にタイル層４５が形成されている。図５（Ａ）に示すように、タイル層４５は、上面４１に複数の穴４１ａが明けられ、それぞれの穴４１ａにタイル４５ａが取り付けられて形成されている。【００３３】  暖房装置３０が作動されると、暖房装置３０からは矢印Ｋに示すように高温加湿空気が送出する。高温加湿空気は、箱型のベッド４０の内部を循環する。循環する高温加湿空気は、前面４２ａに形成された複数の穴４１ａを介しタイル４５ａを加熱し、タイル層４５が加熱状況となる。頭を枕４６に当て横になるとタイル層４５により身体が温められる。
なお、本発明の暖房装置を使用する暖房式ベッド５０は、暖房装置３０を設けることとしたが、勿論暖房装置１０、２０も使用することができる。また、高温加湿空気は、箱型のベッド４０の内部を循環し、前面４２ａに形成した穴４６より排出するようにすることもできる。
【産業上の利用可能性】
【００３４】  本発明の暖房装置は、家庭用や工場用などに使用することができるが、ビニールハウスなどにも幅広く適用することができる。
【符号の説明】
【００３５】  １０、２０。３０  暖房装置
１１、２１、３１  加熱ダクト
１２、２２、３２  貯留槽
１３、２３、３３  電動ファン
１４、２４、３４  加湿器
１５、２５、３５  コイル形の加熱器
１８ａ、１８ｂ、２８ａ、２８ｂ、３８ａ、３８ｂ  電導線
１１０ａ、１１０ｂ、１２０ａ、１２０ｂ、１３０ａ、１３０ｂ  密閉形送出器
１１１ａ  断面Ｔ形の固定部
１１３ａ  円筒形のキャップ
１１４ａ  数珠形状のシール部
【図１】
2017203616.tif 000003
【図２】
2017203616.tif 000004
【図３】
2017203616.tif 000005
【図４】
2017203616.tif 000006
【図５】
2017203616.tif 000007